(57)【要約】【課題】遊技者の興趣をより向上させることが可能であり、製造コストも低減することが可能な遊技板を提供する。【解決手段】樹脂材料を射出成形して形成された遊技基板２を有する遊技板１であって、  遊技基板２の裏面２ｈの少なくとも一部に、外部から入射した光を拡散する光拡散部６が射出成形時に一体成形された。【選択図】  図２
2014133022.tif 000002
【特許請求の範囲】
【請求項１】
樹脂材料を射出成形して形成された遊技基板を有する遊技板であって、
前記遊技基板の裏面の少なくとも一部には、外部から入射した光を拡散する光拡散部が射出成形時に一体成形されることを特徴とする遊技板。
【請求項２】
遊技基板の表面には、所定の絵柄が描かれた絵柄シートが射出成形時に一体成形される、請求項１記載の遊技板。
【請求項３】
遊技板の表面から裏面に向けて、遊技釘を打ちこむための下穴が射出成形時に一体成形される、請求項１又は２記載の遊技板。
【請求項４】
下穴が表面と裏面との間で貫通形成されている、請求項３記載の遊技板。
【請求項５】
遊技基板の表面及び／又は裏面の少なくとも一部には、前記遊技基板とは別体に形成された化粧板を嵌め込むための凹部が射出成形時に一体成形されている、請求項１〜４のいずれかに記載の遊技板。
【請求項６】
成形型のキャビティ内に樹脂材料を射出して樹脂製の遊技基板を有する遊技板を成形する遊技板の成形方法であって、
前記キャビティ内には、前記遊技板の裏面を形成する第１面に、前記遊技板に形成される光拡散部を形成するための光拡散形成部が形成されており、
前記キャビティ内に溶融状態の樹脂を射出して、前記裏面の所定位置に光拡散部を有する遊技板を成形することを特徴とする遊技板の成形方法。
【請求項７】
キャビティ内には、遊技板の表面を形成する所定位置に、所定の絵柄が描かれた絵柄シートを配置してある、請求項６記載の遊技板の成形方法。
【請求項８】
キャビティ内には、遊技板の表面を形成する所定位置に、遊技釘を打ちこむための下穴を形成する下穴形成部を配置してある、請求項６又は７記載の遊技板の成形方法。
【発明の詳細な説明】
【技術分野】
【０００１】
本発明は、遊技機に用いられる遊技板及び遊技板の成形方法に関する。
【背景技術】
【０００２】
従来から、パチンコ機やパチスロ等をはじめとする遊技機には、遊技板が取り付けられているものが多く用いられている。遊技板としては、ベニヤ板等の板材に化粧シートを貼り付けたものが従来から多く用いられている。また、近年では、ベニヤ板等に代えて合成樹脂製の板材を使用するものも多くなっている。例えば、特許文献１には、樹脂材料で形成された板状の基材にスリット状の溝部を複数形成した遊技板が開示されている。
【先行技術文献】
【特許文献】
【０００３】
【特許文献１】特開２００８−２２８９４７号公報
【発明の概要】
【発明が解決しようとする課題】
【０００４】
樹脂材料で成形された従来の遊技板は、この遊技板の基材となる遊技基板を射出成形等の従来から公知の方法で成形し、その後に遊技釘を打ちつける際に使用する下穴をドリルで開け、その下穴に遊技釘を打ちこんで形成していた。樹脂材料で形成された遊技板は、この遊技板の奥側に配置された光源から発せられる光を透過することができるように形成されているものも多くあり、この場合には遊技基板も透光性を有する樹脂材料で形成される場合が多い。
【０００５】
しかし、樹脂材料で形成された従来の遊技板は、遊技基板を成形した後に下穴を形成するので、下穴を形成する際に、この穴の側面部分が白化し、光の透過を遮ってしまうという問題があった。特に、遊技釘は、基材に対して数多く打ちこまれるため、下穴の側面の白化は、遊技板の奥側に設けられた光源からの光の透過性を著しく悪化するという問題があった。また、樹脂製の遊技板は、透光性を有する樹脂材料で形成されているため、遊技板を正面から見た場合であっても、遊技者が白化した部分を視認できてしまい、外観を損なうことがあった。特に、遊技板は、発光態様に変化をもたせることによって遊技の演出を行うほかに、遊技板に描かれた装飾や絵柄等によって遊技者の興趣を向上させる演出を行うため、この白化した部分が視認できることで、遊技者の興趣を向上させる演出を行いにくくなってしまうという問題もあった。
【０００６】
このような問題を解決するためには、下穴を形成しなければよいことも考えられる。しかし、この場合には、遊技釘を遊技基板に打ちこんだ際、該遊技基板にヒビや割れが生じやすくなるという新たな問題が生じる。また、ヒビや割れが生じない場合であっても、やはり遊技釘を打ちこむことで形成された穴の側面は白化するため、上記した問題を解決することは困難であった。
【０００７】
また、従来は、遊技板に遊技釘を打ちこむための方法として、射出成形等で形成した後にドリル等で下穴を明け、この下穴に対して遊技釘を打ちつけるという工程を経て行っていた。しかし、従来から行われている方法では、射出成形により遊技基板を形成する工程、遊技基板にドリル等で下穴を開ける工程、と言うように、下穴を形成した遊技板を製造するにあたり非常に多くの工程が必要となり、製造時における手間がかかるとともに、非常に製造コストが高くなってしまうという問題があった。
【０００８】
本発明は、上記した問題点に鑑みてなされたものであり、光を用いた演出効果のみならず、遊技板自体による演出効果を向上させることが可能な遊技板を提供すること、及び容易に遊技板を形成することができ、かつ製造コストも低く抑えることが可能な遊技板の成形方法を提供することを目的とする。
【課題を解決するための手段】
【０００９】
本発明に係る遊技板は、
（１）樹脂製の遊技基板を有する遊技板であって、前記遊技基板の裏面の少なくとも一部には、外部から入射した光を拡散する光拡散部が射出成形時に一体成形されることを特徴とする遊技板、
（２）遊技基板の表面には、所定の絵柄が描かれた絵柄シートが射出成形時に一体成形される、上記（１）記載の遊技板、
（３）遊技板の表面から裏面に向けて、遊技釘を打ちこむための下穴が射出成形時に一体成形される、上記（１）又は（２）記載の遊技板、
（４）下穴が表面と裏面との間で貫通形成されている、上記（３）記載の遊技板、
（５）遊技基板の表面及び／又は裏面の少なくとも一部には、前記遊技基板とは別体に形成された化粧板を嵌め込むための凹部が射出成形時に一体成形されている、上記（１）〜（４）のいずれかに記載の遊技板、
を要旨とする。
【００１０】
また、本発明に係る遊技板の成形方法は、
（６）成形型のキャビティ内に樹脂材料を射出して樹脂製の遊技基板を有する遊技板を成形する遊技板の成形方法であって、前記キャビティ内には、前記遊技板の裏面を形成する第１面に、前記遊技板に形成される光拡散部を形成するための光拡散形成部が形成されており、前記キャビティ内に溶融状態の樹脂を射出して、前記裏面の所定位置に光拡散部を有する遊技板を成形することを特徴とする遊技板の成形方法、
（７）キャビティ内には、遊技板の表面を形成する所定位置に、所定の絵柄が描かれた絵柄シートを配置してある、上記（６）記載の遊技板の成形方法、
（８）キャビティ内には、遊技板の表面を形成する所定位置に、遊技釘を打ちこむための下穴を形成する下穴形成部を配置してある、上記（６）又は（７）記載の遊技板の成形方法、
を要旨とする。
【発明の効果】
【００１１】
本発明に係る遊技板は、遊技基板の裏面の少なくとも一部に、外部から入射した光を拡散する光拡散部を射出成形時に一体成形しているので、光源から照射された光を光拡散部で種々の方向へ拡散させることができ、光を用いた演出をより豊かなものとすることが可能になる。したがって、本発明に係る遊技板によれば、遊技者の興趣を大きく向上させることが可能になる。また、本発明によれば、光拡散部によって光源から照射された光を拡散することができるので、少数の光源を使用して遊技者の興趣を向上させることができる。したがって、本発明によれば、光源の数を減少して消費電力を大幅に減少させた遊技機に使用しても遊技者の興趣を大きく向上させることができる遊技板を提供することが可能になる。
【００１２】
また本発明に係る遊技板の成形方法は、キャビティ内において遊技板の裏面を形成する第１面に、遊技板に形成される光拡散部を形成するための光拡散形成部が形成されており、キャビティ内に溶融状態の樹脂を射出して、裏面の所定位置に光拡散部を有する遊技板を成形するので、遊技板を成形する際の工程数を簡略化することができ、作業効率をより大きく向上させることが可能になる。また、本発明に係る遊技板の成形方法では、作業効率を大きく向上させることにより、製造コストも大きく低減することが可能になる。
【図面の簡単な説明】
【００１３】
【図１】本発明の第１の実施の形態に係る遊技板の正面図である。
【図２】遊技板の背面図である。
【図３】遊技板において光拡散部が形成されている部分の例を示す断面図である。
【図４】遊技板の製造工程の説明図である。
【図５】本発明の第２の実施の形態に係る遊技板の断面図である。
【図６】遊技板の製造工程の説明図である。
【図７】本発明の第３の実施の形態に係る遊技板の断面図である。
【図８】第３の実施の形態に係る遊技板の変形例の断面図である。
【図９】本発明の第４の実施の形態に係る遊技板の断面図である。
【図１０】第４の実施の形態に係る遊技板の変形例の断面図である。
【図１１】本発明の第５の実施の形態に係る遊技板の断面図である。
【図１２】第５の実施の形態に係る遊技板の変形例の断面図である。
【図１３】本発明の第６の実施の形態に係る遊技板の断面図である。
【発明を実施するための形態】
【００１４】
［第１の実施の形態］
本発明に係る遊技板の第１の実施の形態の構成について説明する。図１は本発明に係る遊技板の正面図であり、図２は遊技板の背面図であり、図３は、遊技板において光拡散部が形成されている部分の例を示す断面図である。なお、本明細書では、「遊技板の表面」とは、遊技基板の表面に絵柄シートが設けられている場合は該絵柄シートの表面をいい、遊技基板の表面に絵柄シートが設けられていない場合は遊技基板の表面を言うものとする。また、「遊技板の裏面」とは、遊技基板の裏面に光拡散部が形成されている場合には、光拡散部の底面を言い、遊技基板の裏面に光拡散部が形成されていない場合には、遊技基板の裏面を言うものとする。また、本明細書における上下前後左右は、各図面にて記載した方向を示すものとする。
【００１５】
本実施の形態に係る遊技板１の概略構成を図１及び図２に示す。本実施の形態に係る遊技板１は、遊技基板２を備えている。遊技基板２は、樹脂材料を射出成形して形成された遊技板１の基材となるものである。図１に示すように、遊技基板２は、直線状に形成された左辺２ａ及び右辺２ｂに対して下辺２ｃ及び上辺２ｄが直交するように形成されている。また、遊技基板２には、図示しないセンター役物を配置することが可能な大きさに形成された第１開口部３と、図示しない各種入賞装置等を配置することが可能な大きさに形成された第２開口部４とが開口形成されている。さらに、遊技基板２には、遊技釘２１を打ちこむ際に使用される下穴５が多数設けられている。なお、本実施の形態では、遊技板１を構成する要素が遊技基板２であるため、遊技基板２の表面２ｇは遊技板１の表面１ａともなり、遊技基板２の裏面２ｈは、遊技板１の裏面１ｂともなる。
【００１６】
図２に示すように、遊技板１の裏面１ｂには、光拡散部６が形成されている。光拡散部６は、遊技板１の外部から入射した光を拡散するためのものである。この光拡散部６は、遊技基板２の裏面２ｈの少なくとも一部に形成されている。本実施の形態では、光拡散部６は、遊技基板２の裏面２ｈにおいて、第１開口部３と第２開口部４との間に形成されている箇所に形成されている。なお、図２において光拡散部６が形成されている箇所は例示であり、これ以外の場所に光拡散部６を形成してもよい。また、光拡散部６は、遊技板１の裏面１ｂの少なくとも一部に形成されていればよく、例えば遊技板１の裏面１ｂの全体に光拡散部６が形成されていてもよい。
【００１７】
図３に示すように、遊技基板２は、所定の厚さ（例えば１０〜２０ｍｍ）を有する板状に形成されている。上記した通り、遊技基板２の裏面２ｈには光拡散部６が形成されており、遊技釘２１（図４参照）を打ちこむための下穴５が表面２ｇから裏面２ｈに向けて設けられている。本実施の形態では、下穴５は、遊技板１の表面１ａと該遊技板１の裏面１ｂとの間で貫通形成されている。即ち、下穴５は、遊技基板２の裏面２ｈに光拡散部６が形成されている場合には、この遊技板１の表面１ａと光拡散部６の凹面６ａとの間で貫通するように形成され、遊技基板２の裏面１ｂに光拡散部６が形成されていない場合には、この遊技板１の表面１ａと遊技板１の裏面１ｂとの間で貫通するように形成されている。
【００１８】
光拡散部６は、遊技基板２の裏面１ｂにエンボス加工を施すことによって形成されている。即ち、光拡散部６は、遊技基板２の裏面１ｂから一段表面１ａ側に向けて凹む凹状に形成されており、この凹んだ箇所の凹面６ａに、凸部７と凹部８とが繰り返し形成された波状のエンボス面が形成されている。なお、光拡散部６を形成するのにエンボス加工を行い、凹面６ａをエンボス面とするのは例示であり、遊技板１の裏面１ｂ側の外部から入射する光が光拡散部６において拡散されれば、他の加工を施してもよい。
【００１９】
遊技基板２は、例えば透光性を有する樹脂材料で形成することが好ましい。ここで「透光性を有する」とは、無色透明であることが好ましいが、薄い色で着色したものであってもよい。この場合には、遊技板１において光を用いた演出を行う時に、この演出に対して影響を与えない程度の着色であることが好ましい。遊技基板２としては、例えば合成樹脂材料又はガラス材料等を用いることができ、その中でも、透光性を有する樹脂材料で形成されることがより好ましい。合成樹脂材料としては、例えば、ポリカーボネート樹脂、アクリル系樹脂、セルロース系樹脂、ポリアミド系樹脂、ポリスチレン系樹脂、ＡＢＳ樹脂等が例示される。合成樹脂材料として透光性が求められる場合には、例えば、ポリカーボネート樹脂、ポリアクリル酸メチル、ポリメタクリル酸メチル、アクリル酸メチル・スチレン共重合体、メタアクリル酸メチル・スチレン共重合体等のアクリル系樹脂、ポリスチレン系樹脂等が挙げられる。また、軽量化を求める場合には、合成樹脂発泡体を使用することも可能である。この場合には、機械的強度等の観点から低発泡倍率のものが好ましい。なお、遊技基板２を形成する材料は、上記したものに限定されず、これら以外のものを任意に選択して適宜用いてよい。遊技基板２としては、厚さが１０〜２０ｍｍのものを用いることが好ましい。この範囲の厚さのものを用いることで、軽量かつ機械的強度を有する遊技基板２とすることができる。
【００２０】
図４（ａ）に示すのは、本実施の形態に係る遊技板１を一体成形するのに用いる成形型１１の断面図である。本実施の形態では、成形型１１は、上型１２と下型１３とから構成されている。上型１２は、遊技板１の表面１ａを形成するように形成されており、下型１３は、遊技板１の裏面１ｂを形成するように形成されている。また、上型１２には、第２面としての該上型１２の天井面１４から下型１３の第１面としての該下型１３の底面１５に向けて、下穴５を形成するための下穴形成部１６が延出している。この下穴形成部１６の先端は、底面１５と接触する位置まで延出するように形成されている。さらに、下方には、底面１５に光拡散部６を形成するための光拡散形成部１７が形成されている。この光拡散形成部１７は、遊技板１の裏面１ｂに形成される光拡散部６を形成する位置と対応する位置に形成されており、底面１５の少なくとも一部に形成されている。即ち、遊技板１の裏面１ｂの一部に光拡散部６を形成する場合には、底面１５の一部に光拡散形成部１７が形成されており、遊技板１の裏面１ｂの全部に光拡散部６を形成する場合には、底面１５の全部に光拡散形成部１７が形成されている。また、図４（ａ）に示すように、上型１２と下型１３を組み上げると、これら上型１２の天井面１４及び側面１８と、下型１３の底面１５とにより囲まれて形成される空間、即ちキャビティ１９が形成される。なお、上型１２において、該上型１２の表面から天井面１４に向けて貫通形成されているのは、溶融した樹脂材料をキャビティ１９内に射出・導入するための導入孔２０である。
【００２１】
遊技板１を射出成形により形成する場合、このように形成された成形型１１のキャビティ１９内に溶融した樹脂材料を射出・導入する。溶融した樹脂材料を射出・導入する際には、図４（ｂ）においては図示しない射出ノズル等に形成されている射出孔と上型１２の導入孔２０とが連通するように該射出ノズル及び成形型１１を配置しておき、射出ノズルから射出された樹脂材料が導入孔２０を通じてキャビティ１９内に導入される。キャビティ１９内には、射出ノズルから射出された樹脂材料が隙間なく充填され、図４（ｂ）に示す状態になる。
【００２２】
次に、図４（ｃ）に示すように、キャビティ１９内に充填された溶融した樹脂材料が固化すると、キャビティ１９内において遊技基板２が形成される。このように、溶融した樹脂が固化して遊技基板２がキャビティ１９内で形成された後、上型１２を取り外す。この時、上型１２に形成されている下穴形成部１６も固化した樹脂材料から取り除かれるため、遊技基板２には、下穴５も形成されている。その後、下型１３を取り除くと、遊技基板２には、下方の凹面６ａに光拡散形成部１７が形成されている箇所と対応する箇所に、光拡散部６が形成される。このように、本実施の形態に係る遊技板１の製造方法によれば、成形型１１のキャビティ１９内に溶融した樹脂材料を射出し、充填することのみによって、光拡散部６及び下穴５を一体成形により形成することが可能になる。
【００２３】
また、本実施の形態に係る遊技板１の成形方法によれば、光拡散形成部１７も形成されているキャビティ１９内に溶融した樹脂材料を充填して遊技板１を成形するので、裏面１ｂの所定位置に光拡散部６を有する遊技板１も、射出成形により一体成形することが可能になり、作業効率を大幅に向上させることが可能になる。
【００２４】
次に、図４（ｄ）に示すように、射出成形により形成した遊技板１の下穴５に遊技釘２１を打ちこむ。下穴５は、遊技釘２１の直径よりも小さな孔径を有するように形成されているので、遊技釘２１を打ちこむことにより、遊技釘２１は、遊技基板２に強固に保持される。遊技釘２１を遊技基板２に打ち込んだ状態を図４（ｅ）に示す。
【００２５】
このように、本実施の形態に係る遊技板１は、遊技基板２の裏面２ｈの少なくとも一部に光拡散部６を射出成形時に一体成形して該光拡散部６を形成しているので、遊技板１の奥側に設けられた発光部材から照射される光をこの光拡散部６において効果的に拡散させることができる。したがって、遊技板１において行われる演出のうちの「光を用いた演出」の効果を大幅に向上させることが可能になる。また、本実施の形態に係る遊技板１は、下穴５も射出成形時に一体的に形成するので、この下穴５に遊技釘２１を打ちこんだ場合には、下穴５の側面１８を白化しづらくすることができ、遊技機の外観を損なうことなく、また遊技釘２１を強固に保持した遊技板１を提供することが可能になる。
【００２６】
また、本実施の形態に係る遊技板１は、裏面１ｂが平坦な平面状の遊技基板２を成形した後に光拡散部６を切削等の任意な方法によって形成する必要がない。また、本実施の形態に係る遊技板１は、遊技基板２の表面２ｇから裏面２ｈに向けて下穴５を射出成形時に一体成形したので、遊技基板２を成形した後にドリル等を用いて下穴５を形成する必要がない。すなわち、本実施の形態に係る遊技板１によれば、光拡散部６及び下穴５を射出成形時に一体成形により形成するので、遊技板１を成形する際の作業工程を大幅に短縮することができ、また、遊技板１の製造コストも大幅に低減することが可能になる。
【００２７】
［第２の実施の形態］
次に、本発明に係る遊技板の第２の実施の形態の構成について説明する。図５は、本実施の形態に係る遊技板の断面図である。なお、本実施の形態に係る遊技板の構成について、先に説明したのと同様の構成であるものについては説明を省略する。また、本実施の形態では、遊技板の外観構成は先に説明した第１の実施の形態と同様であるから、ここでは外観構成の説明も省略する。
【００２８】
本実施の形態に係る遊技板３１は、遊技基板３２の表面に、所定の絵柄が描かれた絵柄部材３３が射出成形時に一体成形されることを特徴とするものである。射出成形時に遊技基板３２と絵柄部材３３とを一体成形する方法としては、例えばインモールド成形やインサート成形等が挙げられるが、これに限定するものではない。
【００２９】
図５に示すように、本実施の形態に係る遊技板３１は、遊技基板３２の表面に絵柄部材３３が一体的に積層されている。この絵柄部材３３は、各種の絵柄等が描かれたシート状の部材である。「絵柄等」には、絵柄の他に図柄、画像、模様文字等が含まれる。この絵柄部材３３は、種々の態様が挙げられる。例えば、１．オフセット印刷により所定の絵柄を描いたオフセット印刷絵柄層から形成したもの、２．オフセット印刷絵柄層の下に、光の透過を遮るための隠蔽層を積層して形成したもの、３．オフセット印刷絵柄層の下に、シルク印刷により所定の絵柄を描いたシルク印刷絵柄層を積層して形成したもの、４．オフセット印刷絵柄層、シルク印刷絵柄層及び隠蔽層を順次積層して形成したもの、５．フセット印刷絵柄層と、所定の金属薄膜等により形成された金属薄膜層とを積層して形成したもの、６．オフセット印刷絵柄層、金属薄膜層及び隠蔽層を順次積層して形成したもの、７．オフセット印刷絵柄層、金属薄膜層、シルク印刷絵柄層及び隠蔽層とを順次積層して形成したもの、８．オフセット印刷絵柄層、シルク印刷絵柄層、金属薄膜層、隠蔽層とを順次積層して形成したもの、等が挙げられる。なお、絵柄部材３３の構成は、上に例示したもの以外の構成を有するものであってもよく、これらに限定されるものではない。
【００３０】
次に、本実施の形態に係る遊技板３１の成形方法について、図６に基づいて説明する。図６（ａ）に示すのは、本実施の形態に係る遊技板３１を成形するための成形型３４である。図６（ａ）に示すように、本実施の形態に係る遊技板３１を成形する場合には、キャビティ３９内に予め絵柄部材３３を配置する。絵柄部材３３は、遊技基板３２の表面に一体的に積層されるので、成形型３４のうち、上型３５の天井面３６に対して絵柄部材３３の表面が対向し、かつ天井面３６と絵柄部材３３の表面とが接する位置に配置される。上型３５には、天井面３６から下型３７の底面３８に向けて下穴形成部４０が形成されており、絵柄部材３３は、この下穴形成部４０が形成されている位置と対応する位置に、孔が予め形成されている。なお、この孔は予め形成しなくてもよく、上型３５の天井面３６に対して表面が対向するように絵柄部材３３を配置する際に孔を形成してもよい。なお、本実施の形態では、導入孔４２が上型３５の側面４１に開口形成されているが、導入孔４２の位置は側面４１に限定されるものではない。
【００３１】
このように、上型３５の内部に絵柄部材３３を配置して該上型３５と下型３７とを組み上げて成形型３４とすると、上型３５と下型３７とによってキャビティ３９が形成される。絵柄部材３３は、このキャビティ３９内に配置される。このように絵柄部材３３を配置した後、図６（ｂ）に示すように、成形型３４のキャビティ３９内に溶融した樹脂材料を射出・導入する。溶融した樹脂材料を射出・導入する際には、図６（ｂ）においては図示しない射出ノズル等に形成されている図示しない射出孔と上型３５の導入孔４２とが連通するように該射出ノズル及び成形型３４を配置しておき、射出ノズルから射出された樹脂材料が導入孔４２を通じてキャビティ３９内に導入される。キャビティ３９内は、射出ノズルから射出された樹脂材料が隙間なく充填され、図６（ｂ）に示すような状態になる。
【００３２】
次に、図６（ｃ）に示すように、キャビティ３９内に充填された溶融した樹脂材料が固化すると、キャビティ３９内に配置した絵柄部材３３が遊技基板３２となる樹脂材料の表面に一体的に積層される。このように、溶融した樹脂材料が固化して遊技基板３２がキャビティ３９内で形成され、かつ遊技基板３２の表面側に絵柄部材３３が一体的に積層された後、上型３５を取り外す。この時、上型３５に形成されている下穴形成部４０も固化した樹脂材料から取り除かれるため、遊技基板３２及び絵柄部材３３にも下穴４３が形成されている。その後、下型３７を取り除くと、遊技基板３２には、下方の底面３８に光拡散形成部４４が形成されている箇所と対応する箇所に、光拡散部４５が形成される。このように、本実施の形態に係る遊技板３１の製造方法によれば、成形型３４内に溶融した樹脂材料を射出し、充填することのみによって、絵柄部材３３をも一体的に成形することができ、また、光拡散部４５及び下穴４３までも一体成形により形成することが可能になる。
【００３３】
次に、図６（ｄ）に示すように、射出成形により形成した遊技板３１の下穴４３に遊技釘４６を打ちこむ。下穴４３は、遊技釘４６の直径よりも小さな孔径を有するように形成されているので、遊技釘４６を打ちこむことにより、遊技釘４６が下穴４３において圧入された状態になる。そのため、下穴４３に打ち込まれた遊技釘４６は、遊技基板３２に強固に保持される。遊技釘４６を遊技基板３２に打ち込んだ状態を図６（ｅ）に示す。
【００３４】
本実施の形態に係る遊技板３１は、第１の実施の形態において説明した作用効果に加えて、絵柄部材３３を遊技基板３２の表面に積層していることで、光を用いた演出効果に加えて、遊技板３１自体の絵柄が有する演出効果をさらに向上させることも可能になる。
【００３５】
［第３の実施の形態］
次に、本発明に係る遊技板の第３の実施の形態の構成について説明する。図７は、本発明の第３の実施の形態に係る遊技板の断面図である。なお、本実施の形態に係る遊技板の構成について、先に説明したのと同様の構成であるものについては説明を省略する。また、本実施の形態では、遊技板の成形に関し、成形型の内部構成が相違するものの、成形方法は先に説明したのと同様であるから、ここでの説明は省略する。
【００３６】
本実施の形態に係る遊技板５１は、遊技基板５２の表面の少なくとも一部に、遊技基板５２とは別体で形成された化粧板５４を嵌め込むための嵌合凹部５３が射出成形時に一体成形されていることを特徴とするものである。
【００３７】
図７（ａ）に示すように、本実施の形態に係る遊技板５１は、遊技基板５２の裏面に光拡散部が形成され、遊技基板５２の表面に嵌合凹部５３が形成されている。嵌合凹部５３は、化粧板５４を嵌め込むことができる大きさで、該化粧板５４を嵌め込んだ時に、該化粧板５４の表面と遊技基板５２の表面とが面一となるような深さに形成されている。
【００３８】
化粧板５４は、化粧基板５５と化粧シート５６とから構成されており、化粧基板５５の表面に化粧シート５６が積層されている。化粧基板５５は、透光性を有する樹脂材料で形成された板状の部材であり、遊技基板５２に形成されている嵌合凹部５３に嵌合することが可能な大きさに形成されている。この化粧基板５５に用いることができる材料としては、遊技基板５２として用いられる材料と同じく、上記したものを任意に選択して用いてもよい。なお、化粧基板５５に用いる材料と遊技基板５２に用いる材料とは、同じものを用いてもよいし、それぞれ異なるものを用いてもよい。
【００３９】
化粧シート５６は、遊技板５１や遊技機全体に描かれている遊技機のモチーフとなったキャラクター等に関係のある絵柄等が描かれている。この化粧シート５６は、厚さが５０〜２００μｍであることが好ましく、１００〜１８０μｍであることがより好ましい。なお、この化粧シート５６は、化粧基板５５に対して少なくとも一部に設けられていればよい。すなわち、この化粧シート５６は、絵柄等を描くために用いるものであるから、絵柄等がない箇所については化粧シート５６がなくてもよい。なお、化粧シート５６に描かれる絵柄等の構成としては、先に説明した絵柄部材の構成と同一であるので、ここでの説明は省略する。
【００４０】
このように構成された遊技板５１は、図７（ｂ）に示すように、遊技基板５２の嵌合凹部５３に化粧板５４が嵌合されることで形成される。化粧板５４は、嵌合凹部５３に嵌合された後、遊技基板５２に固定されるが、この固定方法は従来から公知な方法を任意に選択して用いてよい。例えば、接着剤等を用いて接着してもよいし、ビス等を用いてビス止めしてもよい。なお、ビス止めする場合には、遊技板５１の表面よりも前側にビスの頭が突出しないようにすることが好ましい。
【００４１】
本実施の形態に係る遊技板５１によれば、所定の絵柄等を描いた化粧板５４を遊技基板５２に嵌合させ、固定するように構成したので、遊技基板５２を共通部品として使用することができる。すなわち、遊技基板５２に所定の絵柄等が描かれておらず、化粧板５４にのみ所定の絵柄等が描かれている場合には、複数種類の機種に共通の遊技基板５２を使用して、各機種に対応した絵柄等を描いた化粧板５４を遊技基板５２に嵌め込むことのみによって、複数種類の機種に対応した遊技板５１を形成することができる。したがって、本実施の形態に係る遊技板５１によれば、先に説明した演出の効果に加えて、遊技基板５２の汎用性を大幅に向上させ、近年特に重要視されている環境問題へも配慮した遊技板５１を提供することが可能になる。
【００４２】
また、本実施の形態に係る遊技板５１は、リサイクル性も向上させることが可能になる。即ち、遊技板を用いた遊技機は機種変更のサイクルが短かったため、従来の遊技機に用いていた従来の遊技板は、機種変更が行われると遊技機と共に廃棄されていた。しかし、本実施の形態に係る遊技板によれば、古い機種に用いられた遊技板は、化粧板を交換することのみによって、新しい機種の遊技機に使用する遊技板として再利用することができる。したがって、遊技板のリサイクル性を飛躍的に向上させることができるとともに、近年問題になっている環境面にも配慮した遊技板を提供することが可能になる。
【００４３】
なお、本実施の形態に係る遊技板は、上記したものに限定されない。以下においては、本実施の形態に係る遊技板の変形例について説明する。図８に示すように、本変形例に係る遊技板６１は、化粧板６２の構成が先に説明したものと相違しており、該化粧板６２の裏面６２ａにエンボス加工による光拡散部６３が形成されている。この光拡散部６３は、化粧板６２においても任意に選択した位置に設けてよく、例えば化粧板６２に対して全体的に設けてもよいし、化粧板６２に対して部分的に設けてもよい。
【００４４】
また、本変形例において設けた化粧板６２の光拡散部６３は、前後方向の位置関係において、遊技基板６４に形成されている光拡散部６５とオーバーラップするように配置してもよいし、オーバーラップしないように配置してもよい。化粧板６２の光拡散部６３と遊技基板６４の光拡散部６５とがオーバーラップしている箇所については、外部から入射した光が、遊技基板６４の光拡散部６５で拡散され、さらに化粧板６２の光拡散部６３で拡散するので、さらにより光を拡散させることが可能になる。また、このようにこれら光拡散部６３がオーバーラップしていない箇所においても、例えば遊技基板６４の光拡散部６５と化粧板６２の光拡散部６３とでは、これら光拡散部６３，６５が形成されている前後方向の位置が異なるので、表面側から光による演出を見た場合には、それぞれの場所によって異なる態様の演出を見ることが可能になる。したがって、本変形例に係る遊技板６１によれば、１．遊技基板６４と化粧板６２とのいずれにも光拡散部６３，６５が形成されていない領域、２．遊技基板６４にのみ光拡散部６５が形成されている領域、３．化粧板６２にのみ光拡散部６３が形成されている領域、及び４．光拡散部６３の光拡散部６５と化粧板６２の光拡散部６３が形成されている領域、に分けることができる。したがって、本変形例に係る遊技板６１によれば、これら４つの態様で光による演出を行うことができ、遊技機の演出の態様を飛躍的に向上させることが可能になる。
【００４５】
［第４の実施の形態］
次に、本発明に係る遊技板の第４の実施の形態の構成について説明する。図９は、本発明の第４の実施の形態に係る遊技板の断面図である。なお、本実施の形態に係る遊技板の構成について、先に説明したのと同様の構成であるものについては説明を省略する。また、本実施の形態では、遊技板の成形に関し、成形型の内部構成が相違するものの、成形方法は先に説明したのと同様であるから、ここでの説明は省略する。
【００４６】
本実施の形態に係る遊技板は、遊技基板の裏面の少なくとも一部に、遊技基板とは別体で形成された化粧板を挟みこむための嵌合凹部が射出成形時に一体成形されていることを特徴とするものである。
【００４７】
図９（ａ）に示すように、本実施の形態に係る遊技板７１は、遊技基板７２の裏面７２ａに光拡散部７３及び嵌合凹部７４が形成されている。この嵌合凹部７４は、内部に化粧板７５を嵌め込むことができる大きさで、天井面７２ｂが化粧板７５の表面７５ａと対向し、かつ接する面となるように形成されている。この嵌合凹部７４の深さは、任意に設定してよい。即ち、遊技板７１は、該遊技板７１の表面は遊技中に遊技球が流下するため平滑性が要求されるものの、遊技板７１の裏面７２ａはこのような要求がないため、例えば、遊技基板７２の裏面７２ａと化粧板７５の裏面７２ａとが面一でなく、化粧板７５が遊技基板７２の裏面７２ａから突出するように設けてもよい。
【００４８】
図９（ｂ）に示すように、遊技板７１は、遊技基板７２の嵌合凹部７４に化粧板７５を嵌合及び固定して形成する。化粧板７５は、嵌合凹部７４に嵌合された後に任意な方法によって固定される。なお、この固定方法は従来から公知の方法で固定されることは上記と同じである。
【００４９】
本実施の形態に係る遊技板７１は、遊技基板７２の裏面７２ａ側から該遊技基板７２の嵌合凹部７４に向けて化粧板７５を嵌合し、該化粧板７５を固定する。したがって、遊技者は、遊技基板７２に固定された化粧板７５の化粧シート７６に描かれている絵柄等を直接見ずに、遊技基板７２を介して絵柄等を視認する。この場合、絵柄の前に遊技基板７２が存在するので、この絵柄等を直接視認する場合に比べて奥行き感のある絵柄として視認させることが可能になる。したがって、本実施の形態に係る遊技板７１によれば、先に説明した遊技板７１の光による演出効果に加え、遊技板７１の構成に基づく演出態様も増加させることができるという、遊技板７１の構成に基づく演出効果をも向上させることが可能になる。
【００５０】
なお、本実施の形態に係る遊技板も、上記したものに限定されない。以下において、本実施の形態に係る遊技板の変形例について説明する。図１０（ａ）には、本実施の形態に係る遊技板の第１の変形例を示し、図１０（ｂ）には、本実施の形態に係る遊技板の第２の変形例を示す。
【００５１】
図１０（ａ）に示すように、本変形例に係る遊技板８１は、遊技基板８２の嵌合凹部８３に形成されている天井面８３ａに光拡散部８４が形成されている。このように、天井面８３ａに光拡散部８４を形成することにより、化粧板８５を通過した光を天井面８３ａにおいて拡散させることができる。すなわち、この場合には、先に説明した遊技板８１の構成に基づいて得られる、絵柄に奥行き感を持たせられるという効果に加えて、光により得られる効果を加えることが可能になる。したがって、本変形例に係る遊技板８１によれば、遊技板８１の構成による演出効果と光による演出効果とを相乗的に組み合わせて、遊技者に対してより遊技の興趣を向上させることができる演出を行うことが可能になる。
【００５２】
図１０（ｂ）に示すように、本実施の形態の第２の変形例に係る遊技板８６は、遊技基板８７の嵌合凹部８８に形成されている天井面８７ａに光拡散部８９が形成され、さらに化粧板９０の化粧基板９１の裏面にも光拡散部９２が形成されている。なお、この天井面８７ａに形成された光拡散部８９と化粧基板９１の裏面９１ａに形成された光拡散部９２は、正面から見た場合における位置がオーバーラップするように配置されていてもよいし、それぞれが別個に分離するように配置されていてもよい。
【００５３】
本変形例によれば、先に説明した遊技板の構成に基づく演出効果に加えて、光による演出効果をより効果的に得ることができる。即ち、本変形例に係る遊技板によれば、１．遊技基板８７には、該遊技基板８７の裏面８７ｂにおける光拡散部９３及び該遊技基板の天井面８７ａにおける光拡散部８９が形成されておらず、また化粧板９０にも光拡散部９２が形成されていない領域、２．遊技基板８７の裏面８７ｂにのみ光拡散部９３が形成されている領域、３．遊技基板８７の天井面８７ａにのみ光拡散部８９が形成されている領域、４．化粧板９１の裏面９１ａにのみ光拡散部９２が形成されている領域、５．遊技基板８７の天井面８７ａにも光拡散部８９が形成され、化粧板９１の裏面９１ａにも光拡散部９２が形成されている領域、というように、複数の領域を形成することができる。したがって、本変形例に係る遊技板によれば、これら複数の領域を形成することで、外部から入射する光を用いて複数種類の態様で演出を行うことができ、遊技機の演出の態様をさらに飛躍的に向上させることが可能になる。
【００５４】
［第５の実施の形態］
次に、本発明に係る遊技板の第５の実施の形態の構成について説明する。図１１は、本発明の第５の実施の形態に係る遊技板の断面図である。なお、本実施の形態に係る遊技板の構成について、先に説明したのと同様の構成であるものについては説明を省略する。また、本実施の形態では、遊技板の成形に関し、成形型の内部構成は相違するものの、成形方法は先に説明したのと同様であるから、ここでの説明は省略する。
【００５５】
本実施の形態に係る遊技板は、遊技基板の表面の少なくとも一部及び該遊技基板の裏面の少なくとも一部に、遊技基板とは別体で形成された化粧板を挟み込むための嵌合凹部が射出成形時に一体成形されていることを特徴とするものである。
【００５６】
図１１（ａ）に示すように、本実施の形態に係る遊技板１０１は、遊技基板１０２の裏面１０２ａに光拡散部１０３が形成されている。また、遊技板１０１には、遊技基板１０２の表面１０２ｂに第１嵌合凹部１０４が形成され、遊技基板１０２の裏面１０２ａに第２嵌合凹部１０５が形成されている。第１嵌合凹部１０４は、後述する第１化粧板１０６を嵌合固定することが可能な大きさであって、第１化粧板１０６を嵌合固定した時に、遊技基板１０２の表面１０２ｂと第１化粧板１０６の表面１０６ａとが面一になるような深さに形成されている。また、第２嵌合凹部１０５は、後述する第２化粧板１０７を嵌合固定することが可能な大きさに形成されている。なお、第２嵌合凹部１０５は、遊技基板１０２の裏面１０２ａから表面１０２ｂに向けて所定深さに形成されているものである。また、この第２嵌合凹部１０５には、天井面１０２ｃが形成されている。なお、第２嵌合凹部１０５は、遊技板１０１の表面１０２ｂのように、該表面１０２ｂの平面性の要求がないため、遊技基板１０２の裏面１０２ａと第２化粧板１０７の裏面１０２ａとが必ずしも面一にならなくてもよく、第２嵌合凹部１０５の深さは任意に決定してよい。また、これら第１嵌合凹部１０４の深さと第２嵌合凹部１０５の深さは、同じであってもよいし、異なるように形成されていてもよい。
【００５７】
第１化粧板１０６は、遊技基板１０２に形成されている第１嵌合凹部１０４に嵌合及び固定されるように形成されている。第１化粧板１０６は、第１嵌合凹部１０４に嵌合された後に従来から公知の任意な方法で固定される。第１化粧板１０６の構成は、先に説明した化粧板の構成と同じであるから、ここでの説明は省略する。
【００５８】
第２化粧板１０７は、遊技基板１０２に形成されている第２嵌合凹部１０５に嵌合及び固定されるように形成されている。第２化粧板１０７は、第２嵌合凹部１０５に嵌合された後に従来から公知の任意な方法で固定される。第２化粧板１０７の構成も、先に説明した化粧板の構成と同じであるから、ここでの説明は省略する。なお、第２化粧板１０７の構成は、第１化粧板１０６の構成と同じであってもよいし、異なる構成であってもよい。
【００５９】
本実施の形態に係る遊技板１０１によれば、遊技基板１０２の表面１０２ｂ側からは該遊技基板１０２の第１嵌合凹部１０４に向けて第１化粧板１０６を嵌合し、この第１化粧板１０６を固定する。また、遊技基板１０２の裏面１０２ａ側からは該遊技基板１０２の第２嵌合凹部１０５に向けて第２化粧板１０７を嵌合し、この第２化粧板１０７を固定する。したがって、遊技者は、遊技基板１０２に固定された第１化粧板１０６の化粧シートの絵柄等を直接視認し、かつ第２化粧板１０７の化粧シートの絵柄等は直接見ず、遊技基板１０２を介して間接的に視認する。この場合、第１化粧板１０６の化粧シートの絵柄等は遊技者に対して鮮やかに見せることができ、さらに第２化粧板１０７の化粧シートの絵柄等は奥行き感のある絵柄として視認させることが可能になる。このように、本実施の形態に係る遊技板１０１によれば、先に説明した遊技板１０１の構成に基づく演出効果と光による演出効果とを相乗的に組み合わせることができ、遊技者の興趣をより向上させることができる演出を行うことが可能になる。
【００６０】
なお、本実施の形態に係る遊技板も、上記したものに限定されない。以下において、本実施の形態に係る遊技板の変形例について説明する。図１２は、本実施の形態に係る遊技板の変形例を示したものである。
【００６１】
図１２に示すように、本変形例に係る遊技板１１１は、遊技基板１１２の第２嵌合凹部１１３の天井面１１２ａに光拡散部１１４が形成されている。また、本変形例に係る遊技板１１１は、第１化粧板１１５の裏面１１５ａにも光拡散部１１７が形成され、さらに第２化粧板１１６の裏面１１６ａにも光拡散部１１８が形成されている。このように、本変形例に係る遊技板１１１によれば、遊技基板１１２の裏面１１２ｂのみならず、第１化粧板１１５の裏面１１５ａ、第２化粧板１１６の裏面１１６ａ及び第２嵌合凹部１１３の天井面１１２ａにおいても外部から入射した光を拡散することができる。すなわち、本変形例の場合には、１．遊技基板１１２、第１化粧板１１５及び第２化粧板１１６のいずれにも光拡散部１１４，１１７，１１８が形成されていない領域、２．遊技基板１１２の裏面１１２ｂにのみ光拡散部１１９が形成されている領域、３．第１化粧板１１５の裏面１１５ａにのみ光拡散部１１７が形成されている領域、４．第２化粧板１１６の裏面１１６ａにのみ光拡散部１１８が形成されている領域、５．遊技基板１１２の天井面１１２ａにのみ光拡散部１１４が形成されている領域、６．遊技基板１１２の裏面１１２ｂに光拡散部１１９が形成され、第１化粧板１１５の裏面１１５ａに光拡散部１１７が形成され、これら光拡散部１１９と光拡散部１１７とがオーバーラップしている領域、７．第１化粧板１１５の裏面１１５ａに光拡散部１１７が形成され、第２化粧板１１６の裏面１１６ａにも光拡散部１１８が形成され、これら光拡散部１１７と光拡散部１１８とがオーバーラップしている領域、８．第１化粧板１１５の裏面１１５ａに光拡散部１１４が形成され、遊技基板１１２の天井面１１２ａにも光拡散部１１７が形成され、さらに第２化粧板１１６の裏面１１６ａにも光拡散部１１８が形成され、これら光拡散部１１４と、光拡散部１１７と、光拡散部１１８とがオーバーラップしている領域、と言うように、外部から入射した光を様々な態様で拡散させる領域が遊技板１１１に形成されている。したがって、外部から入射した光を用いた演出態様のバリエーションを大幅に増加させることができ、さらにより遊技者の興趣を向上させることができる演出を行うことが可能になる。また、上記した光の演出態様のバリエーションに加え、本変形例に係る遊技板１１１の場合には遊技板１１１の構成に基づいて行われる演出態様も組み合わせることができるので、その演出の態様をさらにより効果的なものにすることが可能になる。なお、光拡散部１１４は、第１嵌合凹部１２０の底面１２０ａに形成してもよい。第１嵌合凹部１２０の底面１２０ａに光拡散部１１４を形成することで、さらにより演出態様のバリエーションを増加させることも可能になる。
【００６２】
［第６の実施の形態］
次に、本発明に係る遊技板の第６の実施の形態の構成について説明する。図１３は、本発明の第６の実施の形態に係る遊技板の断面図である。なお、本実施の形態に係る遊技板の構成について、先に説明したのと同様の構成であるものについては説明を省略する。また、本実施の形態では、遊技板の成形に関し、成形型の内部構成は相違するものの、成形方法は先に説明したのと同様であるから、ここでの説明は省略する。
【００６３】
本実施の形態に係る遊技板１２１は、遊技基板１２２の表面１２２ａの少なくとも一部及び／又は該遊技基板１２２の裏面１２２ｂの少なくとも一部に、遊技基板１２２とは別体で形成された化粧板１２４を嵌合固定させるための嵌合凹部１２３が射出成型時に一体成形されており、この嵌合凹部１２３には、遊技基板１２２の表面１２２ａ又は裏面１２２ｂとは高さ方向の位置が異なる底面１２２ｃを有し、化粧板１２４は、化粧基板１２５と、少なくとも一部に所定の絵柄が描かれた化粧シート１２６とを有し、この化粧シート１２６は、嵌合凹部１２３内において、遊技基板１２２と化粧基板１２５との間に位置するように配置したことを特徴とするものである。
【００６４】
図１３（ａ）に示すように、本実施の形態に係る遊技板１２１は、遊技基板１２２の裏面に光拡散部１２７が形成され、遊技基板１２２の表面１２２ａに嵌合凹部１２３が形成されている。嵌合凹部１２３は、化粧板１２４を嵌め込むことができる大きさで、該化粧板１２４を嵌め込んだ時に、該化粧板１２４の表面と遊技基板１２２の表面１２２ａとが面一となるような深さに形成されている。また、嵌合凹部１２３には底面１２２ｃが形成されている。
【００６５】
化粧板１２４は、化粧基板１２５と化粧シート１２６とから構成されている。化粧板１２４は、図１３（ｂ）に示すように、化粧基板１２５と化粧シート１２６とがそれぞれ別体に分離できるように構成してもよいし、図１３（ｃ）に示すように、化粧基板１２５の裏面１２５ｂに化粧シート１２６を接着剤等による任意な方法で張り付けて、該化粧基板１２５と化粧シート１２６とを積層させて構成してもよい。本実施の形態では、化粧板１２４は、化粧基板１２５の表面１２５ａ側が露出し、該化粧基板１２５の裏面１２５ｂ側に化粧シート１２６が位置するように構成されている。また、化粧シート１２６は、該化粧シート１２６の表面１２６ａが化粧基板１２５の裏面１２５ｂと対向し、該化粧シート１２６の裏面１２６ｂが底面１２２ｃと対向するように配置される。
【００６６】
このように構成された遊技板１２１は、図１３に示すように、遊技基板１２２の嵌合凹部１２３に化粧板１２４が嵌合されることで形成される。本実施の形態に係る遊技板１２１では、化粧シート１２６は、遊技基板１２２と化粧板１２４とを組み合わせた場合に、これら遊技基板１２２と化粧基板１２５との間に挟まれる位置に設けられる。
【００６７】
本実施の形態に係る遊技板１２１によれば、化粧板１２４の化粧シート１２６の前面に化粧基板１２５が設けられるので、遊技球が遊技板１２１の表面側を流下した場合にも、化粧シート１２６に描かれた絵柄等が傷つくことなく、絵柄等の剥がれ等を確実に防止し、長期間に亘って鮮明な絵柄を有する遊技板１２１を提供することが可能になる。また、本実施の形態に係る遊技板１２１によれば、化粧板１２４を交換することで、他の機種にも遊技基板１２２を再利用することができ、遊技基板１２２のリサイクル性を大幅に向上させることができる。特に、図１３（ｂ）に示すように、化粧板１２４において、化粧基板１２５と化粧シート１２６とを別体で分離するように化粧板１２４を構成すれば、遊技基板１２２のみならず、化粧基板１２５をも再利用することができるので、遊技板１２１のリサイクル性をさらに向上させることも可能になる。
【００６８】
また、本実施の形態に係る遊技板１２１の場合には、化粧板１２４のみを製造するか、又は化粧シート１２６のみを製造することで他機種の遊技板１２１に適用することが可能であるので、製造時の作業工程も大幅に簡略化することができ、製造コストも大幅に低減することも可能になる。
【００６９】
なお、本実施の形態では、遊技基板１２２の表面側に嵌合凹部１２３を形成した遊技板１２１に化粧板１２４を嵌合し固定するように構成した例を用いて説明したが、遊技基板１２２の裏面側に嵌合凹部１２３を形成した遊技板１２１、遊技基板１２２の表面側及び裏面側の両方に嵌合凹部１２３を形成した遊技板１２１にも適用することができる。また、嵌合凹部１２３の底面に光拡散部１２７を形成した遊技板１２１にも適用することができる。
【００７０】
以上、本発明に係る遊技板について詳細に説明したが、上記した遊技板は本発明に係る遊技板を例示したに過ぎず、本発明の趣旨を逸脱しない範囲で、任意にその構成を変更してもよい。例えば、本明細書において説明した遊技板は、第１開口部及び第２開口部を射出成形時に形成するようにしているが、射出成形時には第１開口部及び第２開口部を開口形成せず、射出成形後にこれら第１開口部及び第２開口部を開口形成してもよい。また、第１開口部及び第２開口部を形成する箇所の肉厚を他の部分の肉厚よりも薄肉にして、第１開口部及び第２開口部が形成される箇所を明らかにしてもよい。
【符号の説明】
【００７１】
１，３１，５１，６１，７１，８１，８６，１０１，１１１，１２１  遊技板
２，３２，５２，６４，７２，８２，８７，１０２，１１２，１２２  遊技基板
５，４３  下穴
６，４５，６３，６５，７３，８４，８９，９２，９３，１０３，１１４，１１７，
１１８，１１９，１２７  光拡散部
１１，３４  成形型
１６，４０  下穴形成部
１７，４４  光拡散形成部
１９，３９  キャビティ
６２，７５，８５，９０，９１，１２４  化粧板
５３，７４，８３，８８，１２３  嵌合凹部
１０４，１２０  第１嵌合凹部
１０５，１１３  第２嵌合凹部
１０６，１１５  第１化粧板
１０７，１１６  第２化粧板
【図１】
2014133022.tif 000003
【図２】
2014133022.tif 000004
【図３】
2014133022.tif 000005
【図４】
2014133022.tif 000006
【図５】
2014133022.tif 000007
【図６】
2014133022.tif 000008
【図７】
2014133022.tif 000009
【図８】
2014133022.tif 000010
【図９】
2014133022.tif 000011
【図１０】
2014133022.tif 000012
【図１１】
2014133022.tif 000013
【図１２】
2014133022.tif 000014
【図１３】
2014133022.tif 000015